(57)【要約】  【課題】  簡単な回路構成で、シーク中のフォーカス外れ検知機能によるフォーカス外れを防止することが可能な機能を有する光ディスク装置を提供する。  【解決手段】  クロストークレベル測定手段４２で測定されたクロストークの信号レベルが、閾値以上であることがクロストークレベル判定手段４３により判定されると、フォーカスゲイン低下手段４４は、シーク中はクロストークの信号レベルに合わせてアンプ４５のゲイン、即ちフォーカスゲインを低下させる。これにより、シーク中のフォーカス外れ検知機能によるフォーカス外れを防止することができ。したがって、シークの精度が向上し、しかも、演算回路が不要となって簡単な回路構成でフォーカス外れを防止することが実現できて、コストダウンも図れる。【選択図】      図２
2006216132.tif 000002
【特許請求の範囲】
【請求項１】
光ディスクに対して情報の再生または記録／再生を行うためのレーザ光を出射すると共
に光ディスクからの反射光を受光する光ピックアップと、この光ピックアップの光ディス
クに対するトラッキングサーボおよびフォーカスサーボを行うサーボ制御部とを備え、光
ディスクに記録された情報を再生したり、光ディスクに対して情報を記録／再生したりす
る光ディスク装置において、前記トラッキングサーボを行うためのトラッキングエラー信
号の成分が前記フォーカスサーボを行うためのフォーカスエラー信号に影響を与える現象
であるクロストークの信号レベルを測定するクロストークレベル測定手段と、シーク中に
フォーカス外れが起こる可能性があるクロストークの信号レベルの閾値を予め設定してお
き、前記測定されたクロストークの信号レベルが閾値以上であるか否かを判定するクロス
トークレベル判定手段と、前記クロストークの信号レベルが閾値以上であると判定された
ときシーク中はクロストークの信号レベルに合わせて前記フォーカスサーボにおけるフォ
ーカスゲインを低下させるフォーカスゲイン低下手段とを前記サーボ制御部に設けたこと
を特徴とする光ディスク装置。
【請求項２】
光ディスクに対して情報の再生または記録／再生を行うためのレーザ光を出射すると共
に光ディスクからの反射光を受光する光ピックアップと、この光ピックアップの光ディス
クに対するトラッキングサーボおよびフォーカスサーボを行うサーボ制御部とを備え、光
ディスクに記録された情報を再生したり、光ディスクに対して情報を記録／再生したりす
る光ディスク装置において、トラッキングサーボを行うためのトラッキングエラー信号の
成分が前記フォーカスサーボを行うためのフォーカスエラー信号に影響を与える現象であ
るクロストークの信号レベルを測定し、この測定されたクロストークの信号レベルに合わ
せてシーク中の前記フォーカスサーボにおけるフォーカスゲインを変更する機能を前記サ
ーボ制御部に設けたことを特徴とする光ディスク装置。
【請求項３】
前記サーボ制御部は、シーク中にフォーカス外れが起こる可能性があるクロストークの
信号レベルの閾値を予め設定しておき、測定されたクロストークの信号レベルが閾値以上
である場合に、前記クロストークの信号レベルに合わせてフォーカスサーボにおけるフォ
ーカスゲインを低下させる機能を有することを特徴とする請求項２に記載の光ディスク装
置。
【請求項４】
前記サーボ制御部は、クロストークの信号レベルを測定するクロストークレベル測定手
段と、シーク中にフォーカス外れが起こる可能性があるクロストークの信号レベルの閾値
を予め設定しておき、前記測定されたクロストークの信号レベルが閾値以上であるか否か
を判定するクロストークレベル判定手段と、前記クロストークの信号レベルが閾値以上で
あると判定されたときシーク中はクロストークの信号レベルに合わせてフォーカスサーボ
におけるフォーカスゲインを低下させるフォーカスゲイン低下手段とを有することを特徴
とする請求項３に記載の光ディスク装置。
【発明の詳細な説明】
【技術分野】
【０００１】
本発明は、光ディスクに記録された情報を再生したり、光ディスクに対して情報を記録
／再生したりする光ディスク装置に関し、特に、フォーカスエラー信号に現れるトラッキ
ングエラー信号のクロストーク成分を低減する機能を有する光ディスク装置に関する。
【背景技術】
【０００２】
従来から光ディスク装置においては、光ディスクに対して情報の再生、または記録／再
生を行うためのレーザ光を出射すると共に光ディスクからの反射光を受光する光ピックア
ップと、この光ピックアップの光ディスクに対するトラッキングサーボおよびフォーカス
サーボを行うサーボ制御部とを備えている。
【０００３】
ところで、光ピックアップは、光ディスクからの反射光を受光する田字状に配置された
４つの受光領域（例えば４つのフォトダイオードなどの受光素子による受光領域）を有し
た光検出器を備えているが、これらの受光素子の受取り付け位置に誤差があると、光ディ
スク上のランドとグループとを横切るトラックジャンプ時に、トラッキングエラー信号の
成分がフォーカスエラー信号に影響を与える現象、即ち、Ｔ−Ｆクロストーク（以下単に
クロストークという）が生じ、これにより、光ピックアップから出射されるレーザ光のフ
ォーカス外れが生じたり、フォーカスサーボがオンしにくくなったりするので、シーク中
はフォーカスサーボにおけるフォーカスゲインを一律で所定デシベル、例えば−３ｄＢ下
げていたが、クロストークの信号レベルが大きい場合、その下げ幅が足りず、フォーカス
外れ検知機能が作動してシークミスが生じる場合があった。
【０００４】
そこで、クロストーク現象により、シーク中のフォーカス外れ検知機能によるサーボ外
れを改善するため、特許文献１の従来技術では、検査用のトラックジャンプを行ったとき
に、クロストーク成分が所定レベルよりも大きいかどうかを判定するクロストークレベル
判定手段を備え、このクロストーク補正手段は、クロストークレベル判定手段によりクロ
ストーク成分が所定レベルよりも大きいと判別されたとき、クロストーク成分を低減する
ための演算を行うように構成している。
【０００５】
また、特許文献２の従来技術では、光ヘッドの光ビームが光ディスクのトラックを横断
するときのトラッキング誤差信号および和信号に基づいてフォーカス誤差信号のクロスト
ークと位相および振幅が整合する補正信号を生成する乗算器および調整器と、この補正信
号をフォーカスサーボループに印加する補正加算点を設け、フォーカスサーボループに補
正信号を印加することによって、クロストークをキャンセルし、また、トラッキング誤差
信号とクロストークを対応させてデータテーブルを作成し、これを参照してクロストーク
をキャンセルするように構成している。
【特許文献１】特開２００４−２２７６９４号公報
【特許文献２】特開平７−１６９０７０号公報
【発明の開示】
【発明が解決しようとする課題】
【０００６】
しかしながら、特許文献１の従来技術は、クロストーク成分が所定レベルよりも大きい
と判別されたときには、クロストーク成分を低減するための演算を行う演算回路が必要と
なる。即ち、クロストーク値を演算で算出し、クロストーク信号を作成し、このクロスト
ーク信号をフォーカスドライブ信号と加算して相殺するといった演算回路（クロストーク
補正手段、クロストークレベル判定手段、変化幅比検出手段、第１の計数手段、第２の計
数手段）が必要となり、回路的に複雑化するという課題が生じる。
【０００７】
また、特許文献２の従来技術では、光ヘッドの光ビームが光ディスクのトラックを横断
するときのトラッキング誤差信号および和信号に基づいてフォーカス誤差信号のクロスト
ークと位相および振幅が整合する補正信号を生成する乗算器および調整器などが必要とな
り、この従来技術も、回路的に複雑化するとういう課題が生じる。
【０００８】
本発明は、上記のような課題を解決するためになされたもので、簡単な回路構成で、シ
ーク中のフォーカス外れ検知機能によるフォーカス外れを防止することが可能な機能を有
する光ディスク装置を提供することを目的とする。
【課題を解決するための手段】
【０００９】
上記目的を達成するために、請求項１の発明は、トラッキングサーボを行うためのトラ
ッキングエラー信号の成分がフォーカスサーボを行うためのフォーカスエラー信号に影響
を与える現象であるクロストークの信号レベルを測定するクロストークレベル測定手段と
、シーク中にフォーカス外れが起こる可能性があるクロストークの信号レベルの閾値を予
め設定しておき、前記測定されたクロストークの信号レベルが閾値以上であるか否かを判
定するクロストークレベル判定手段と、前記クロストークの信号レベルが閾値以上である
と判定されたときシーク中はクロストークの信号レベルに合わせて前記フォーカスサーボ
におけるフォーカスゲインを低下させるフォーカスゲイン低下手段とをサーボ制御部に設
けたことを特徴とする光ディスク装置を提供する。
【００１０】
この構成において、クロストークレベル測定手段で測定されたクロストークの信号レベ
ルが、閾値以上であることがクロストークレベル判定手段により判定されると、フォーカ
スゲイン低下手段は、シーク中はクロストークの信号レベルに合わせてフォーカスサーボ
におけるフォーカスゲインを低下させる。
【００１１】
この構成によれば、クロストークの信号レベルを測定し、その信号レベルが閾値以上の
場合にクロストークの信号レベルに合わせてフォーカスサーボにおけるフォーカスゲイン
を下げるようにすることにより、シーク中のフォーカス外れ検知機能によるフォーカス外
れを防止することができ、これにより、シークの精度が向上し、しかも、演算回路が不要
となって簡単な回路構成でフォーカス外れを防止することが実現できて、コストダウンも
図れる。
【００１２】
請求項２の発明は、トラッキングサーボを行うためのトラッキングエラー信号の成分が
フォーカスサーボを行うためのフォーカスエラー信号に影響を与える現象であるクロスト
ークの信号レベルを測定し、この測定されたクロストークの信号レベルに合わせてシーク
中の前記フォーカスサーボにおけるフォーカスゲインを変更する機能をサーボ制御部に設
けたことを特徴とする光ディスク装置を提供する。
【００１３】
この構成において、測定されたクロストークの信号レベルに合わせてシーク中のフォー
カスサーボにおけるフォーカスゲインが変更される。したがって、この構成によれば、シ
ーク中のフォーカス外れ検知機能によるフォーカス外れを防止することができ、これによ
り、シークの精度が向上し、しかも、演算回路が不要となって簡単な回路構成でフォーカ
ス外れを防止することが実現できて、コストダウンも図れる。
【００１４】
請求項３の発明では、請求項２の発明において、前記サーボ制御部は、シーク中にフォ
ーカス外れが起こる可能性があるクロストークの信号レベルの閾値を予め設定しておき、
測定されたクロストークの信号レベルが閾値以上である場合に、前記クロストークの信号
レベルに合わせてフォーカスサーボにおけるフォーカスゲインを低下させる機能を有する
ので、簡単な回路構成で、シーク中のフォーカス外れ検知機能によるフォーカス外れを防
止することを実現することができる。
【００１５】
請求項４の発明では、請求項３の発明において、前記サーボ制御部は、クロストークの
信号レベルを測定するクロストークレベル測定手段と、シーク中にフォーカス外れが起こ
る可能性があるクロストークの信号レベルの閾値を予め設定しておき、前記測定されたク
ロストークの信号レベルが閾値以上であるか否かを判定するクロストークレベル判定手段
と、前記クロストークの信号レベルが閾値以上であると判定されたときシーク中はクロス
トークの信号レベルに合わせてフォーカスサーボにおけるフォーカスゲインを低下させる
フォーカスゲイン低下手段とを有するので、クロストークの信号レベルを測定する処理と
、前記測定されたクロストークの信号レベルが閾値以上であるか否かを判定する処理と、
クロストークの信号レベルが閾値以上であると判定されたときのフォーカスゲインを低下
させる処理とを実現することができる。
【発明の効果】
【００１６】
以上のように本発明によれば、トラッキングサーボを行うためのトラッキングエラー信
号の成分がフォーカスサーボを行うためのフォーカスエラー信号に影響を与える現象であ
るクロストークの信号レベルを測定するクロストークレベル測定手段と、シーク中にフォ
ーカス外れが起こる可能性があるクロストークの信号レベルの閾値を予め設定しておき、
前記測定されたクロストークの信号レベルが閾値以上であるか否かを判定するクロストー
クレベル判定手段と、前記クロストークの信号レベルが閾値以上であると判定されたとき
シーク中はクロストークの信号レベルに合わせて前記フォーカスサーボにおけるフォーカ
スゲインを低下させるフォーカスゲイン低下手段とをサーボ制御部に設けたので、クロス
トークの信号レベルを測定し、その信号レベルが閾値以上の場合にクロストークの信号レ
ベルに合わせてフォーカスサーボにおけるフォーカスゲインを下げることができ、これに
より、シーク中のフォーカス外れ検知機能によるフォーカス外れを防止することができ、
したがって、シークの精度が向上し、しかも、演算回路が不要となって簡単な回路構成で
フォーカス外れを防止することが実現できて、コストダウンも図れる。
【００１７】
また、本発明によれば、トラッキングサーボを行うためのトラッキングエラー信号の成
分がフォーカスサーボを行うためのフォーカスエラー信号に影響を与える現象であるクロ
ストークの信号レベルを測定し、この測定されたクロストークの信号レベルに合わせてシ
ーク中の前記フォーカスサーボにおけるフォーカスゲインを変更する機能をサーボ制御部
に設けたので、シーク中のフォーカス外れ検知機能によるフォーカス外れを防止すること
ができ、これにより、シークの精度が向上し、しかも、演算回路が不要となって簡単な回
路構成でフォーカス外れを防止することが実現できて、コストダウンも図れる。
【発明を実施するための最良の形態】
【００１８】
以下、添付図面を参照しつつ、本発明の実施の形態について説明する。図１は本発明の
一実施形態に係る光ディスク装置の構成を示すブロック図である。ここでは、ＤＶＤレコ
ーダなどの光ディスク装置の構成について説明するが、ＤＶＤプレイヤなどの光ディスク
装置についても、同じようにフォーカスゲインを変更する処理を適用できることは言うま
でもない。
【００１９】
この光ディスク装置は、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２０】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２１】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２２】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２３】
また、この光ディスク装置は、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置全
体を制御する前記システムコントローラ２２とを備えている。
【００２４】
また、この光ディスク装置は、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４と、このＣＰＵ２４の処理に必要なデータを一時的に格納するＲＡＭ２７
とを備えている。
【００２５】
また、この光ディスク装置は、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２６】
図２は図１中のサーボ制御部４においてフォーカスサーボの構成を説明するためのブロ
ック図である。図２において、サーボ制御部４は、ＲＦアンプ６からのＲＦ信号に含まれ
るフォーカスエラー信号を検出するフォーカスエラー信号検出回路４１と、フォーカスエ
ラー信号にトラッキングエラー信号の影響を与える現象であるクロストークの信号レベル
を測定するクロストークレベル測定手段４２と、シーク中にフォーカス外れが起こる可能
性があるクロストークの信号レベルの閾値を予め設定しておき、前記測定されたクロスト
ークの信号レベルが閾値以上であるか否かを判定するクロストークレベル判定手段４３と
を備えている。
【００２７】
また、サーボ制御部４は、前記クロストークの信号レベルが閾値以上であると判定され
たときシーク中はクロストークの信号レベルに合わせて前記フォーカスサーボにおけるフ
ォーカスゲイン（アンプ４５のゲイン）を低下させるフォーカスゲイン低下手段４４と、
前記フォーカスエラー信号を入力して増幅するアンプ４５と、このアンプ４５からのフォ
ーカスエラー信号を入力して不要な周波数成分を除去するフィルタ４６と、このフィルタ
４６を通過したフォーカスエラー信号に基づいてフォーカスドライブ信号を出力して光ピ
ックアップ２のフォーカスアクチュエータ２ａを駆動させるフォーカスドライブ回路４７
とを備えている。
【００２８】
図３は本実施形態における光ピックアップの検出領域とエラー信号生成回路の構成を示
す構成図である。図３に示すように、光ピックアップ２の光検出器２ｂは、トラック方向
軸３９と、このトラック方向軸３９に直交する軸４０とによって、分割された４つの検出
領域Ａ，Ｂ，Ｃ，Ｄを有する。エラー信号生成回路３７は、４つの加算器３１，３２，３
４，３５と２つの減算器３３，３６とから構成される。
【００２９】
加算器３１は、４つの検出領域Ａ，Ｂ，Ｃ，Ｄのうちの検出領域Ａ，Ｃの出力を加算す
る。また、加算器３２は、４つの検出領域Ａ，Ｂ，Ｃ，Ｄのうちの検出領域Ｂ，Ｄの出力
を加算する。そして、減算器３３は、加算器３１の出力から加算器３２の出力を減算し、
減算結果をフォーカスエラー信号ＦＥとして出力する。
【００３０】
加算器３４は、４つの検出領域Ａ，Ｂ，Ｃ，Ｄのうちの検出領域Ａ，Ｄの出力を加算す
る。また、加算器３５は、４つの検出領域Ａ，Ｂ，Ｃ，Ｄのうちの検出領域Ｂ，Ｃの出力
を加算する。そして、減算器３６は、加算器３４の出力から加算器３５の出力を減算し、
減算結果をプッシュプル方式のトラッキングエラー信号ＴＥとして出力する。
【００３１】
図４は本実施形態においてフォーカスエラー信号にクロストーク信号が乗っている状態
を説明するための信号波形図である。図４において、ラインＬ１，Ｌ２はシーク中にフォ
ーカス外れが起こる可能性があるクロストークの信号レベルの閾値のレベルを示す。ライ
ンＬ３はクロストーク信号が乗っているときのフォーカスエラー信号を示す。ラインＬ４
はクロストーク信号が乗っていない通常のフォーカスエラー信号を示す。ｔ１はラインＬ
３で示すフォーカスエラー信号がラインＬ１で示す閾値以上になっている時間を示す。ｔ
２はラインＬ３で示すフォーカスエラー信号がラインＬ２で示す閾値以上（絶対値で閾値
以上）になっている時間を示す。
【００３２】
従来から光ディスク装置では、時間ｔ１，ｔ２が所定時間以上になれば、フォーカス外
れ検知機能が作動するようになっている。そして、本実施形態では、クロストークの信号
レベルが閾値以上であれば、図２中のアンプ４５のゲインを下げるように制御して、フォ
ーカス外れ検知機能を作動させず、フォーカス外れ機能の作動によるフォーカス外れを防
止している。
【００３３】
図５は本実施形態においてシーク中にフォーカス外れが起こる可能性がある場合にクロ
ストークの信号レベルに合わせてフォーカスゲインを下げる処理を説明するためのフロー
チャートである。このフローチャートを参照してシーク中にフォーカス外れが起こる可能
性がある場合にクロストークの信号レベルに合わせてフォーカスゲインを下げる処理につ
いて説明する。
【００３４】
この光ディスク装置に光ディスク１を挿入して（ステップＳ１）、光ディスク１を立ち
上げる（ステップＳ２）。即ち、光ディスク１を光ディスク装置に挿入した後、光ディス
ク１は回転し、光ディスク１から記録情報が光ピックアップ２により読み取られ、光ピッ
クアップ２の光検出器２ｂ（図２参照）からはＲＦ信号が出力され、このＲＦ信号はＲＦ
アンプ６により増幅され、サーボ制御部４に入力される。
【００３５】
サーボ制御部４では、入力されたＲＦ信号に含まれるトラッキングエラー信号をトラッ
キングエラー信号検出回路（図示せず）により検出し、このトラッキングエラー信号をト
ラッキングドライブ回路（図示せず）に入力することにより、トラッキング駆動信号を生
成して光ピックアップ２のトラッキングアクチュエータ（図示せず）に供給し、トラッキ
ングアクチュエータを駆動してトラッキングサーボの制御を行うと共に、入力されたＲＦ
信号に含まれるフォーカスエラー信号をフォーカスエラー信号検出回路４１（図２参照）
により検出し、このフォーカスエラー信号を、アンプ４５およびフィルタ４６を介してフ
ォーカスドライブ回路４７（図２参照）に入力することにより、フォーカス駆動信号を生
成して光ピックアップ２のフォーカスアクチュエータ２ａ（図２参照）に供給し、フォー
カスアクチュエータ２ａを駆動してフォーカスサーボの制御を行う。
【００３６】
光ディスク１を立ち上げた後（ステップＳ２）、サーボ制御部４のクロストークレベル
測定手段４２は、フォーカスエラー信号検出回路４１からのフォーカスエラー信号により
クロストークの信号レベルを測定する（ステップＳ３）。例えば、図４に示すフォーカス
エラー信号（ラインＬ３）のレベルを測定する。そして、サーボ制御部４のクロストーク
レベル判定手段４３では、クロストークの信号レベルは閾値以上であるか否かを判定する
（ステップＳ４）。例えば、図４に示すフォーカスエラー信号（ラインＬ３）のレベルが
閾値（ラインＬ１）以上であるか否かを判定する。
【００３７】
クロストークの信号レベルは閾値未満であれば、フォーカス外れ検知機能は作動するこ
とがないので、シーク中はアンプ４５のゲインは現状のままとし、フォーカスゲインは変
更しない（ステップＳ５）。しかし、クロストークの信号レベルは閾値以上であると判定
された場合は、サーボ制御部４のフォーカスゲイン低下手段４４では、シーク中はクロス
トークの信号レベルに合わせて、アンプ４５のゲイン、即ちフォーカスゲインを低下させ
る（ステップＳ６）。
【００３８】
以上説明したように本実施形態によれば、クロストークの信号レベルを測定し、その信
号レベルが閾値以上の場合にクロストークの信号レベルに合わせてフォーカスサーボにお
けるフォーカスゲインを下げるようにすることにより、シーク中のフォーカス外れ検知機
能によるフォーカス外れを防止することができ、これにより、シークの精度が向上し、し
かも、演算回路が不要となって簡単な回路構成でフォーカス外れを防止することが実現で
きて、コストダウンも図れる。
【図面の簡単な説明】
【００３９】
【図１】本発明の一実施形態に係る光ディスク装置の構成を示すブロック図である。
【図２】図２は図１中のサーボ制御部においてフォーカスサーボの構成を説明するためのブロック図である。
【図３】前記実施形態における光ピックアップの検出領域とエラー信号生成回路の構成を示す構成図である。
【図４】前記実施形態においてフォーカスエラー信号にクロストーク信号が乗っている状態を説明するための信号波形図である。
【図５】実施形態においてシーク中にフォーカス外れが起こる可能性がある場合にクロストークの信号レベルに合わせてフォーカスゲインを下げる処理を説明するためのフローチャートである。
【符号の説明】
【００４０】
１    光ディスク
２    光ピックアップ
４    サーボ制御部
４２    クロストークレベル測定手段
４３    クロストークレベル判定手段
４４    フォーカスゲイン低下手段
４５    アンプ（フォーカスゲイン変更対象のアンプ）
【図１】
2006216132.tif 000003
【図２】
2006216132.tif 000004
【図３】
2006216132.tif 000005
【図４】
2006216132.tif 000006
【図５】
2006216132.tif 000007